(57)【要約】      （修正有）【課題】軽量であると共に、良好なデザインを有し、且つ、平面繭の全域において均質性の高い立体的な平面繭製品の提供。【解決手段】膨張・収縮自在な立体成形型１を膨張させる工程と、立体成形型１の外表面に蚕Ｄを這わせながら吐糸させて平面繭Ｂを成型する工程と、平面繭Ｂの成型後に、立体成形型１を収縮させ、収縮した立体成形型１を平面繭Ｂから抜き取る工程とを備える。【選択図】図４
2014162021.tif 000002
【特許請求の範囲】
【請求項１】
膨張・収縮自在な立体成形型を膨張させる工程と、
前記立体成形型の外表面に蚕を這わせながら吐糸させて平面繭を成型する工程と、
前記平面繭の成型後に、前記立体成形型を収縮させ、収縮した前記立体成形型を平面繭から抜き取る工程と、
を備える平面繭製品の製造方法。
【請求項２】
膨張状態の前記立体成形型の表面に装飾部材を配置する工程を更に備え、前記装飾部材を成型された前記平面繭の内面に残した状態で、収縮した前記立体成形型を抜き取る請求項１記載の平面繭製品の製造方法。
【請求項３】
請求項１又は２記載の平面繭製品の製造方法で製造されたことを特徴とする平面繭製品。
【発明の詳細な説明】
【技術分野】
【０００１】
本発明は、平面繭製品の製造方法及び平面繭製品に関する。
【背景技術】
【０００２】
平面繭は、平面状に形成した型枠上に蚕を這わせながら吐糸させることで、蚕に繭玉を作らせずに平面布状に形成されたものであることが知られており、更に、この平面繭の技術を応用して、立体的な平面繭製品を製造することも知られている。
【０００３】
下記、特許文献１に記載のものは、帽子の形状に形成された型枠の表面側と裏面側に蚕を這わせて吐糸させることによって、表面側が突出し、裏面側が凹んだ立体的な平面繭製品である帽子を製造するものである。
【先行技術文献】
【特許文献】
【０００４】
【特許文献１】特開２００９−２４３１４号公報
【発明の概要】
【発明が解決しようとする課題】
【０００５】
しかしながら、特許文献１の従来技術で製造された帽子は、型枠の表裏面に吐糸させることによって帽子の内部に型枠が残ったものとなるため、この型枠によって帽子の重量が嵩んでしまい、この重量が帽子の被り心地を悪くしてしまうという問題があった。
【０００６】
前述のような型枠が残る立体的な平面繭製品は、前述の帽子だけではなく、電灯の笠や提灯等も挙げられるが、大型なものほど型枠の重量の影響が大きくなるという問題があった。
【０００７】
前述のような立体的な平面繭製品では、型枠が平面繭製品の表面から透けて見え、平面繭製品によっては、透けて見える型枠がデザインの一部となる場合がある。しかしながら、型枠を立体的な平面繭製品のデザインの一部として利用しながら、平面繭製品の重量増を抑制できると共に、蚕が平面繭を作ることができる型枠として構成するには、設計自由度が低く、デザインが制限されてしまうという問題があった。
【０００８】
本発明は、このような問題に対処することを課題の一例とするものである。すなわち、立体的な平面繭製品の軽量化ができること、幅広いデザインを施すことができること、蚕に平面繭を確実に作らせることができること、これにより、軽量であると共に、良好なデザインを有し、且つ、平面繭の全域において均質性の高い立体的な平面繭製品を提供できること、等が本発明の目的である。
【課題を解決するための手段】
【０００９】
このような目的を達成するために、本発明は、以下の構成を少なくとも具備するものである。
【００１０】
膨張・収縮自在な立体成形型を膨張させる工程と、前記立体成形型の外表面に蚕を這わせながら吐糸させて平面繭を成型する工程と、前記平面繭の成型後に、前記立体成形型を収縮させ、収縮した前記立体成形型を平面繭から抜き取る工程と、を備える平面繭製品の製造方法である。
【００１１】
前述の製造方法で製造されたことを特徴とする平面繭製品である。
【発明の効果】
【００１２】
このような特徴を有することで本発明は、以下の効果を奏する。すなわち、膨張させた立体成形型の外表面に平面繭を成型し、この成形後に立体成形型を収縮させて抜き取るようにしているので、立体的な平面繭製品の軽量化ができると共に、幅広いデザインを施すことができ、且つ蚕に平面繭を確実に作らせることができる。これにより、軽量であると共に、良好なデザインを有し、且つ、平面繭の全域において均質性の高い立体的な平面繭製品を提供できる。
【図面の簡単な説明】
【００１３】
【図１】本発明に係る実施形態の置物の一例を示す斜視図である。
【図２】図１の（２）−（２）線断面図である。
【図３】（ａ）〜（ｃ）は、本発明に係る実施形態の置物の製造方法の一例を示す工程図である。
【図４】（ｄ）〜（ｆ）は、図３から続く置物の製造方法の一例を示す工程図である。
【発明を実施するための形態】
【００１４】
本発明では、膨張状態の前記立体成形型の表面に装飾部材を配置する工程を更に備え、前記装飾部材を成型された前記平面繭の内面に残した状態で、収縮した前記立体成形型を抜き取ることが好ましい。
【００１５】
以下で説明する膨張・収縮自在な立体成形型とは、ゴム風船やいわゆるビニールボールのように空気を入れることによって膨張させ、空気を抜くことで収縮させることができるもの、或いは袋のように内部に詰め物を充填することで膨張させ、詰め物を取り出すことで収縮させることができるもの、等が挙げられる。
【００１６】
また、立体成形型の形状としては、球形、立方形、錐形、帽子形、人形（全身、上半身、下半身）、等が挙げられる。
【００１７】
また、立体成形型を前述の袋のように内部に詰め物を充填することで膨張させるようなものの場合、この袋及び詰め物を紙材や合成樹脂材のような変形自在の材質のものを使用することで、立体成形型を前述の球形、立方形、錐形、帽子形、人形（全身、上半身、下半身）、等の形状に変形させることができる。
【００１８】
以下で説明する装飾部材とは、成型された平面繭の内側から透けて見えるようなものである。例えば、着色されたひも状又は帯状のもの、曲げ変形自在な電線に小型の電球（豆電球等）や、同じく曲げ変形自在な薄い帯状の回路にＬＥＤ（発光ダイオード素子）等を備えたもの、光ファイバー、ＥＬ（エレクトロ  ルミネッセンス）シート、ＥＬファイバー、ＥＬコード、等が挙げられる。このような装飾部材は、立体成形型に巻き付けるように配置することで、平面繭の外側から透けて見えるような装飾を施すことができる。
【００１９】
以下で説明する平面繭製品とは、照明器具の笠や置物等のインテリア、帽子、服、バッグ、小物入れ等が挙げられる。
【００２０】
以下で説明する平面繭とは、蚕の吐糸による繭玉を作らせないように、立体的な成形型の表面に蚕を這わせながら吐糸させることで、外形として立体状に成形されたものを意味し、一枚の平面的な布地状に成形されたものを意味するものではない。
【００２１】
以下、本発明に係る実施形態の平面繭の製造方法及び平面繭製品を図面に基づいて説明する。
【００２２】
図１及び図２は、平面繭製品の一例である置物Ａを示している。尚、以下で説明する置物Ａの形態は、本発明における平面繭製品の実施形態の一例であって、本発明を限定するものではない。
【００２３】
置物Ａは、球状の立体成形型１の外表面に蚕Ｄを這わせながら吐糸させることで球体に成型された平面繭Ｂからなるもの（図４（ｄ）参照）である。この置物Ａは、内面に装飾部材Ｃが螺旋を描くように配され、この装飾部材Ｃが置物Ａの外表面から透視できるようにされている。
【００２４】
装飾部材Ｃは、ＥＬファイバー、或いはＥＬコード等の、周面全域から発光すると共に、発光時に熱が生じず、しかも、変形可能な軽量なものであり、このような装飾部材Ｃを用いることによって、発光中において置物Ａの平面繭Ｂに対して熱による影響が出ないものとすることができると共に、置物Ａの軽量化に貢献することができる。
【００２５】
また、装飾部材Ｃは、ワイヤレス給電方式によって電力が供給されるものであり、ワイヤレス給電の送電部Ｃ１に対面させることで受電する受電部Ｃ２が備えられている。この受電部Ｃ２は、置物Ａの内面に配されており、この受電部Ｃ２を送電部Ｃ１に対面させた状態で置物Ａを載置することによって、送電部Ｃ１からの電力を受電すると共に、装飾部材Ｃに電力を供給するようにされている。
【００２６】
このようなワイヤレス給電方式によって電力が供給される装飾部材Ｃとすることにより、装飾部材Ｃに電力を供給するための電源ケーブルを不要にできるため、置物Ａの設置場所の選択自由度を拡げることができる。
【００２７】
受電部Ｃ２は、充電式電池（図示せず）を備えたものとしてもよく、このような受電部Ｃ２とすることによって、置物Ａの設置場所の選択自由度をより大きく拡げることができる。
【００２８】
このような置物Ａは、螺旋を描くように配された装飾部材Ｃの発光が外表面から透視できるようにされているため、高いデザイン性を備え、しかも、成形型がないため軽量化が図られたものとなっている。
【００２９】
また、装飾部材Ｃへの電力供給をワイヤレス給電方式にしているので、置物Ａを様々な場所に設置でき、しかも、設置時において、デザインや雰囲気を損ねるようなもの（電源ケーブルやコンセント等）の存在を無くすことができるので、置物Ａ自体のデザイン及び設置時における周辺のデザインを損ねることを防止することができる。
【００３０】
次に、前述の置物Ａの製造方法の一例を図３（ａ）〜（ｃ）、図４（ｄ）〜（ｆ）に基づいて説明する。以下で説明する製造方法において用いられる立体成形型１の形態及び装飾部材Ｃの形態は、本発明における平面繭製品の製造方法の実施形態の一例であって、本発明を限定するものではない。
【００３１】
第１工程（図３（ａ）立体成形型膨張工程）：収縮状態の立体成形型１を膨張させる。
【００３２】
ここで用いられる立体成形型１は、紙材や合成樹脂材からなる柔軟な薄手の袋状のものであり、このような立体成形型１に薄手の紙材を丸めてなる詰め物２を入れながら、目的の置物Ａの外形状（球体）となるように、立体成形型１の外側から潰したり、内側から押し上げたりしながら調整する。
【００３３】
第２工程（図３（ｂ）網掛け工程）：膨張させた立体成形型１の外表面に、蚕Ｄの足場となる網１０を掛ける。
【００３４】
ここで用いられる網１０は、網糸が細く、且つ網目が細かいものであり、立体成形型１の外表面全域に、網糸と立体成形型１の外表面との間に隙間ができないように被せて接着することによって、蚕Ｄを球体の立体成形型１から落下させずに這わせることができると共に、蚕Ｄが吐糸する繊維が網糸に巻き込まれないようにすることができる。
【００３５】
すなわち、網１０を立体成形型１の外表面に掛けることによって、蚕Ｄが這いやすく、しかも、蚕Ｄが吐糸した繊維を網糸に巻き込ませずに、網１０を含む立体成形型１の外表面に吐糸させることができるので、網１０を含む立体成形型１を成型された平面繭Ｂから繊維が引っ掛かって剥がれないように取り外すことができる。
【００３６】
尚、立体成形型１の素材が、蚕Ｄの足場を確保でき、蚕Ｄが這う際に滑り難くできるものであれば、網１０を掛ける第２工程が不要となる。
【００３７】
第３工程（図３（ｃ）装飾部材配置工程）：立体成形型１の外表面に、装飾部材Ｃを螺旋状に巻き付けるように配置する。
【００３８】
このとき、装飾部材Ｃ及び受電部Ｃ２を立体成形型１の外表面に対して隙間なく接着することで、蚕Ｄが吐糸する繊維が装飾部材Ｃや受電部Ｃ２に巻き込まれないようにすることができる。
【００３９】
装飾部材Ｃとして、ＥＬファイバー、或いはＥＬコード等の変形可能なものを用いた場合、例示する螺旋形状以外の形状にも自由に設定することができる。また、ＥＬファイバー、或いはＥＬコード等とは異なる装飾部材Ｃを加えてもよい。
【００４０】
第４工程（図４（ｄ）吐糸工程）：立体成形型１の外表面に、複数の蚕Ｄを這わせて吐糸させる。
【００４１】
このように吐糸させることによって、蚕Ｄに繭玉を作らせずに、立体成形型１の外表面に沿った不織布状の平面繭Ｂを作らせることができる。
【００４２】
また、複数の蚕Ｄの夫々の個性によって、這う速度、這う方向、吐糸量、吐糸方向等が異なるため、平面繭Ｂに、繊維量の多い部分や少ない部分、これらの部分の形状等による予測されない様々な繊維模様が生じ、この繊維模様を置物Ａの模様として視覚させることができる。
【００４３】
前述の繊維模様は、繊維量の多い部分や少ない部分、これらの部分の形状等によって、平面繭Ｂに装飾部材Ｃの光の透過量が異なる部分を生じさせることができる。そして、異なる透過量の部分を生じさせることによって、置物Ａの表面に明暗が異なる部分を作り、この明暗を模様として視覚させることができる。
【００４４】
平面繭Ｂの厚みの調整は、蚕Ｄの吐糸時間を長短調節することによって行うことができ、これによって、この平面繭Ｂの厚みを各種平面繭製品に対応した厚みとする等、任意に調整することができる。
【００４５】
蚕Ｄには、立体成形型１の外表面に這わす前に、十分に糞をさせておき、吐糸中に糞をしないようにすることで、平面繭Ｂの糞による汚れの発生を防止することができる。また、糞による汚れが生じた場合でも、不織布状の平面繭Ｂであるため、水や洗浄剤等で洗浄することができる。
【００４６】
第５工程（図４（ｅ）立体成形型抜き取り工程）：成型された平面繭Ｂから立体成形型１を収縮させて抜き取る。
【００４７】
立体成形型１を抜き取る際には、平面繭Ｂの一部を切って、立体成形型１の抜き取り孔Ｂ１を形成し、この抜き取り孔Ｂ１から、立体成形型１に詰めた詰め物２を取り除くと共に、立体成形型１を収縮させて抜き取ることができる。
【００４８】
この抜き取り孔Ｂ１は、詰め物２を取り除くことができる共に、収縮させた立体成形型１を抜き取ることができる程度の大きさで、可能な限り小さいものとすることが、後述の第６工程による抜き取り孔Ｂ１を閉塞した際に、閉塞部分Ｂ２を目立たないようにするということにおいて好ましい。
【００４９】
第６工程（図４（ｆ）抜き取り孔閉塞工程）：第５工程終了後に、抜き取り孔Ｂ１を縫製、或いは接着により閉塞する。
【００５０】
このとき、抜き取り孔Ｂ１の閉塞部分Ｂ２が目立たなくなるように縫製、或いは接着することが好ましい。このように縫製、或いは接着する場合、平面繭Ｂと同素材とする不織布状の当て布（図示せず）を用い、この当て布の外周縁と抜き取り孔Ｂ１の縁の周りの繊維をほぐすと共に、相互に絡め付けて行うことが、閉塞部分Ｂ２を目立たなくするということにおいて好ましい。
【００５１】
以上の第１工程〜第６工程によって、成形型がなく、内面に発光する装飾部材Ｃを備えた置物Ａを製造することができる。
【００５２】
これによって、立体的な置物Ａの軽量化ができると共に、幅広いデザインを施すことができ、且つ蚕Ｄに平面繭Ｂを確実に作らせることができる。
【００５３】
したがって、軽量であると共に、良好なデザインを有し、且つ、平面繭Ｂの全域において均質性の高い立体的な置物Ａを提供できる。
【００５４】
また、装飾部材Ｃがワイヤレス給電に用いられる受電部Ｃ２を備えたものであるので、この受電部Ｃ２を送電部Ｃ１に対面させた状態で置物Ａを設置することで、置物Ａの内側から発光する装飾部材Ｃを外表面から透視させることができる。
【００５５】
また、立体成形型１を紙材や合成樹脂材からなる柔軟な薄手の袋状のものとし、このような立体成形型１に薄手の紙材を丸めてなる詰め物２を詰めて変形させながら目的の形状にすることができるものであるため、多様な形状の立体成形型１を形成することができる。
【００５６】
第４工程終了後の平面繭Ｂの外表面、或いは第６工程終了後の置物Ａの外表面に着色、絵、文字等の装飾を施してもよい。この場合、第３工程における装飾部材Ｃの配置する工程を省略し、装飾部材Ｃがない置物Ａとしてもよい。
【００５７】
また、平面繭製品を照明器具（電球等）の笠とする場合、第６工程を省略し、第５工程において切られた抜き取り孔Ｂ１をそのまま照明器具の出し入れ口としてもよいし、或いは抜き取り孔Ｂ１の周りを切り取って照明器具の出し入れ口を形成してもよい。
【符号の説明】
【００５８】
Ａ：置物（平面繭製品）  Ｂ：平面繭  Ｃ：装飾部材  Ｄ：蚕  １：立体成形型
【図１】
2014162021.tif 000003
【図２】
2014162021.tif 000004
【図３】
2014162021.tif 000005
【図４】
2014162021.tif 000006